(57)【特許請求の範囲】
【請求項１】
カード（５）が挿入されるとともに挿入されたカード（５）が排出されるカード挿入兼排出口（１８）と、このカード挿入兼排出口（１８）から挿入されたカード（５）をカード処理部（１７）に取り込み、かつ排出するカード取込み・排出手段（６０）とを備えたカード処理装置において、前記カード取込み・排出手段（６０）を、一端部が固定軸（２６）を介して枢支された補助レバー（２５）と、この補助レバー（２５）の他端部に連結軸（２９）を介して連結され、この連結軸（２９）を回動中心として前記カード挿入兼排出口（１８）から挿入されたカード（５）に連動して回動する第１のレバー（３０）と、この第１のレバー（３０）に設けた可動支点（７０）に枢支した第２および第３のレバー（６１，６３）と、これら第２および第３のレバー（６１，６３）間に介装した付勢手段（６４）とによって構成し、前記第２のレバー（６１）を固定支点（７１）で枢支し、前記第１のレバー（３０）の可動支点（７０）が、前記第１のレバー（３０）の連結軸（２９）と前記第２のレバー（６１）の固定支点（７１）との間を結ぶ線を境界線として前記付勢手段（６４）に蓄積された付勢力によって死点越えすることを特徴とするカード処理装置。
【請求項２】
請求項１記載のカード処理装置において、前記第２および第３のレバー（６１，６３）間に係脱自在に介在し、前記第１のレバー（３０）の可動支点（７０）の移動にともなって前記付勢手段（６４）に付勢力を蓄積させるばね力蓄積手段（６５）と、このばね力蓄積手段（６５）の係合を解除する解除手段（６７）と、カード（５）が排出する方向に前記第２のレバー（６１）を付勢する第２の付勢手段（６２）とを設けたことを特徴とするカード処理装置。
【発明の詳細な説明】
【０００１】
【発明の属する技術分野】
本発明は、カード挿入兼排出口から挿入されたカードをカード処理部に取り込み、カードのデータを処理した後にカード挿入兼排出口から排出するカード処理装置に関する。
【０００２】
【従来の技術】
この種のカード処理装置においては、カード挿入兼排出口から挿入されたカードがカード処理部でカードのデータを処理している最中に故意または誤ってカードが引き抜かれることを規制する必要がある。このため、カード挿入兼排出口からカードが挿入されると、カード全体をカード処理部内に取り込み、カードの後端部がカード挿入兼排出口から露呈しないようにするためのカード取込み手段が設けられている。また、カードのデータを処理した後には、利用者がカード挿入兼排出口からカードを引き抜くことができるように、カードをカード処理部からカード挿入兼排出口から露呈させるためのカード排出手段が設けられている。
【０００３】
この種のカード処理装置として、カード取込み手段およびカード排出手段を、モータを駆動源として走行する一対のベルトによって構成し、これら一対のベルト間にカードを挟持し、モータを正方向または逆方向に駆動することにより、カードを取り込んだり、排出するようにしたものがある。このように、ベルトによってカードを取り込んだり、排出するようしたものでは、ベルトを走行させるためのモータやギアが必要になって、部品点数が多くなるだけでなく装置が大型化するという問題があった。また、駆動源としてモータを採用しているために、停電時にはカードの排出ができなくなるので、利用者に対するサービスが低下するという問題もあった。
【０００４】
これらの問題を解決するものとして、駆動源にモータを必要とせずに手動操作によってカードの取込みと排出を行うものが提案されている。例えば、特公平７−１０１４４２号公報に開示されたものは、手動によりカード挿入口を開閉するカバーと、このカバーを閉じる動作に連動してカードを取り込むリンク機構と、カード挿入口を閉じたカバーをロックするロック機構とを備え、カバーを開閉することにより、カードの取込みと排出を行うようにしたものである。
【０００５】
また、特開平８−２６３６０３号公報に開示されたものは、カードの挿入に追従して移動する移動子と、カードを挿入しきると移動子が当接して作動する作動板と、この作動板の作動によってカード挿入方向と反対方向に移動するレバーと、このレバーの移動に連動してカード挿入口を閉鎖するシャッタとが備えられ、カード挿入口からカード通路内に挿入されたカードはシャッタによって引き抜きが規制されるものである。
【０００６】
【発明が解決しようとする課題】
しかしながら、上述した従来のカード処理装置のうち、前者の場合には、カバーだけでなく、カバーの開閉に連動して動作するリンク機構を設ける構造であるため、部品点数が増加するだけでなく構造が複雑になり、かつカード挿入口とカード通路との間にリンク機構を設けているために装置が大型化するという問題があった。
また、後者の場合には、カードを排出する方向に付勢する付勢手段に抗して、手によってカードをカード通路内に挿入しきる構造であるために、カードを挿入していくにつれて手にかかる負荷が大きくなり、使い勝手が悪いだけでなく、シャッタを必要とするため、このシャッタを開閉させるための構成部品が増加するという問題もあった。
【０００７】
本発明は上記した従来の問題に鑑みなされたものであり、第１の目的は装置の小型化を図ることにある。第２の目的は部品点数を削減することにある。第３の目的はカードの挿入に当たり、利用者の手に大きな負荷をかけることなく使い勝手を向上させることにある。
【０００８】
【課題を解決するための手段】
この目的を達成するために、請求項１に係る発明は、カード（５）が挿入されるとともに挿入されたカード（５）が排出されるカード挿入兼排出口（１８）と、このカード挿入兼排出口（１８）から挿入されたカード（５）をカード処理部（１７）に取り込み、かつ排出するカード取込み・排出手段（６０）とを備えたカード処理装置において、前記カード取込み・排出手段（６０）を、一端部が固定軸（２６）を介して枢支された補助レバー（２５）と、この補助レバー（２５）の他端部に連結軸（２９）を介して枢支され、この連結軸（２９）を回動中心として前記カード挿入兼排出口（１８）から挿入されたカード（５）に連動して回動する第１のレバー（３０）と、この第１のレバー（３０）に設けた可動支点（７０）に枢支した第２および第３のレバー（６１，６３）と、これら第２および第３のレバー（６１，６３）間に介装した付勢手段（６４）とによって構成し、前記第２のレバー（６１）を固定支点（７１）で枢支し、前記第１のレバー（３０）の可動支点（７０）が、前記第１のレバー（３０）の連結軸（２９）と前記第２のレバー（６１）の固定支点（７１）との間を結ぶ線を境界線として前記付勢手段（６４）に蓄積された付勢力によって死点越えする。
したがって、カードがカード挿入兼排出口から挿入されると、ある時点までは付勢力によってカードの挿入が阻止される方向に付勢され、ある時点から付勢手段に蓄積された付勢力の方向が切り替わり、付勢手段によってカードが挿入方向に付勢される。
【０００９】
また、請求項２に係る発明は、請求項１に係る発明において、前記第２および第３のレバー（６１，６３）間に係脱自在に介在し、前記第１のレバー（３０）の可動支点（７０）の移動にともなって前記付勢手段（６４）に付勢力を蓄積させるばね力蓄積手段（６５）と、このばね力蓄積手段（６５）の係合を解除する解除手段（６７）と、カード（５）が排出する方向に前記第２のレバー（６１）を付勢する第２の付勢手段（６２）とを設けたものである。
したがって、カードがカード処理部に取り込まれた状態で、解除手段を作動させばね力蓄積手段の係合を解除すると、第２の付勢手段の付勢力によってカードがカード挿入兼排出口から排出される。
【００１０】
【発明の実施の形態】
以下、本発明の実施の形態を図に基づいて説明する。図１は本発明に係るカード処理装置の正面図、図２は同じく一部を破断して示す側面図、図３は同じく一部を破断して示す底面図である。図４は同じくカード保持部材を分解して示す斜視図、図５は同じくカード保持部材を示し、同図（ａ）は側面図、同図（ｂ）は正面図、同図（ｃ）は平面図である。図６は同じくカードを取り込んだ状態を示す正面図である。図７ないし図９はカードを取り込む動作を説明するための要部の正面図で、図７はカードを取り込む前の状態を示し、図８はカードを取り込み始めた状態を示し、図９はカードを取り込んだ状態を示す。図１０は同じくカードを保持する動作を説明するための要部の平面図で、同図（ａ）はカードを保持する前の状態を示し、同図（ｂ）はカードを保持した状態を示す。
【００１１】
図２において、全体を符号１で示すカード処理装置は基台２上に設けられ、この基台２には、互いに間隔を隔てて対向する支持板３，４がそれぞれ立設されている。一方の支持板３の外面（他方の支持板４と反対側の面）には、アンテナ基板１１が設けられ、このアンテナ基板１１では、後述するカード処理部１７に取り込まれた非接触型ＩＣカード（以下、単にカードと略称する）５のアンテナ部と、無線でデータのやりとりを行いカード５に記録されているデータの処理を行う。一方の支持板３の内面には、図３および図１０に示すように、矢印Ａ−Ｂ方向に延在するカム板１２が設けられ、このカム板１２の表面には、矢印Ａ−Ｂ方向の略中央から矢印Ａ方向に向かって隆起状に形成されたカム部１３が設けられている。
【００１２】
一方の支持板３の内面の上部と中央部には、図１に示すように、矢印Ａ−Ｂ方向に延在する一対のガイド部材１５，１５が互いに平行となるように固定されている。これらガイド部材１５，１５の下端面と上端面には、互いに対向するガイド溝１６，１６が設けられ、これらガイド溝１６，１６の幅は、カード５の厚みよりも大きく形成され、これらガイド溝１６，１６間の間隔はカード５の幅よりもやや大きく形成されている。これらガイド溝１６，１６間に挟まれた領域はカード処理部１７を形成し、このカード処理部１７の図１中左端には、カード５を挿入し、かつ排出するカード挿入兼排出口１８が設けられている。一対のガイド部材１５，１５の表面には、上下一対のレール板１９，２０が、互いの下端１９ａと上端２０ａとが間隔を隔てて平行となるように固定されている。
【００１３】
図１および図２において、２５は固定軸２６を介して他方の支持板４に一端を枢支された補助レバーであって、この補助レバー２５の他端には、第１のレバー３０の一端（下端）が連結軸２９を介して枢支されている。この連結軸２９は、固定軸２６を回動中心として揺動可能となっているが、後述するようにカード挿入兼排出口１８から挿入されたカード５に追従して第１のレバーが回動するときの回動支点を構成するものである。
【００１４】
次に、この第１のレバー３０の他端（上端）に枢支されたカード保持部材３５について、図４および図５を用いて説明する。
図４に示すように、カード保持部材３５は、側面視Ｌ字状に形成された基部３７と、挟持部としてのローラ３８と、平面視コ字状に形成された板ばね３９と、外形が基部３７と同じ大きさで扁平な直方体に形成された対接部４０とによって概ね構成されている。基部３７には窓４１が穿設され、この窓４１の両端縁には、一対の軸支承溝４２，４２が凹設され、さらに一対のねじ孔４３，４３が螺設されている。また、この基部３７の一端には凸条体４４が突設され、この凸条体４４には一対の挿通孔４５，４５が穿孔され、この凸条体４４の窓４１側の一面は当接面４４ａを形成している。
【００１５】
ローラ３８は軸４７に回転自在に支持され、このローラ３８は、軸４７の両端部を基部３７の軸支承溝４２，４２に係入することにより、図５に示すように、外周の一部が窓４１から高さＴだけ露呈するようにして窓４１に収容される。板ばね３９は窓４１に収容されたローラ３８の軸４７の両端部を覆うようにして、基部３７のねじ孔４３，４３に螺合したねじ４９，４９によって基部３７の上面に固定される。
【００１６】
対接部４０の両側面には長手方向全体に延在する一対のガイド溝５１，５１が設けられ、一端側に一対のねじ孔５２，５２が形成され、中央に軸５３が植設されている。この対接部４０は、基部３７の凸条体４４の挿通孔４５，４５に挿通したねじ５３，５３をねじ孔５２，５２に螺合させることにより、図５（ｃ）に示すように、開口５５を有するようにして、基部３７に取り付けられる。図５に示すように、取り付けられた対接部４０とローラ３８との間には間隔Ｄが形成され、この間隔Ｄはカード５の厚みよりもやや大きくなるように形成されている。
【００１７】
このように組み立てられたカード保持部材３５は、図２に示すように、ガイド溝５１，５１が上下一対のレール板１９，２０の下端１９ａと上端２０ａに係入されることにより、図１において、矢印Ａ−Ｂ方向に移動自在に支持される。このように支持されたカード保持部材３５の開口５５は、図１０に示すように、カード挿入兼排出口１８から挿入され、ガイド部材１５，１５のガイド溝１６，１６にガイドされて取り込まれるカード５の通過路に位置付けられている。また、カード保持部材３５のローラ３８は、上述したカム板１２のカム部１３に摺接するように位置付けられている。このカード保持部材３５は、第１のレバー３０の上端部に、軸５３を介して枢支されている。
【００１８】
次に、図１および図２を用いて、カード取込み・排出手段について説明する。
図１において、カード取込み・排出手段６０は、上述した第１のレバー３０と、この第１のレバー３０の略中央に設けた可動軸７０に共に枢支された第２および第３のレバー６１，６３と、これら第２および第３のレバー６１，６３間に弾装された第１の付勢手段としての圧縮コイルばね６４と、この圧縮コイルばね６４のばね力を蓄積するばね力蓄積手段６５とによって概ね構成されている。
【００１９】
第２のレバー６１は、上述したように可動軸７０を介して下端部が枢支されているとともに、上端部が、図２に示すように、支持板４に植設した固定軸７１に枢支されている。また、この第２のレバー６１は、一端が支持板４に植設した軸７２に掛けられた第２の付勢手段としての引張りコイルばね６２によって、固定軸７１を回動中心として、図１中時計方向、すなわち、カード５を排出する方向に付勢されている。また、第２のレバー６１の表面には、後述する作動レバー６６の凹溝７８に係入されるピン７３が植設されている。
【００２０】
ばね力蓄積手段６５は、図２に示すように一端が支持板４に植設された固定軸７７に枢支された作動レバー６６と、第３のレバー６３に軸７５によって回動自在に支持されたロック片６７とによって構成されている。作動レバー６６の他端には、ロック片６７が係合する係合凹部７９が形成されている。ロック片６７と係合凹部７９とが係合した状態において、第２のレバー６１が固定軸７１を回動中心として図１中反時計方向に回動すると、ピン７３も第２のレバー６１と一体的に反時計方向に回動する。
【００２１】
したがって、ピン７３が係入している凹溝７８を介して、作動レバー６６が固定軸７７を回動中心として反時計方向に回動するので、図８に示すように、作動レバー６６の他端が第２のレバー６１から長さｌだけ突出した状態になる。このため、第３のレバー６３は可動軸７０を回動中心として図８中反時計方向に回動するので、圧縮コイルばね６４は圧縮されてばね力が蓄積された状態になる。
【００２２】
この場合、第１のレバー３０の連結軸２９と第２のレバー６１の固定軸７１を結んだＣ−Ｃ線を境界線として、可動軸７０が、図８中左方に位置付けられているときには、圧縮コイルばね６４の圧縮されたばね力は、可動軸７０を左方に移動させるように作用する。一方、可動軸７０が図８に示すように、Ｃ−Ｃ線よりも右方に位置付けられると、圧縮コイルばね６４が圧縮されることにより蓄積されたばね力は、可動軸７０を右方に移動させるように作用する。この状態において、圧縮コイルばね６４が圧縮されることにより蓄積されるばね力が、引張りコイルばね６２の引張り力よりも大きく設定していることにより、圧縮コイルばね６４の圧縮されて蓄積されたばね力によって、第２のレバー６１は固定軸７１を回動中心として図中反時計方向に回動し、図９に示すような状態になる。すなわち、圧縮コイルばね６４が圧縮されることにより蓄積されたばね力によって、第２のレバー６１はＣ−Ｃ線を境界線として、死点越えするように構成されている。
【００２３】
この状態においては、ロック片６７と係合凹部７９とが係合しているので、可動軸７０に矢印Ａ方向の外力が加わり、第２のレバー６１を固定軸７１を回動中心として時計方向に回動させようとしても、圧縮コイルばね６４にばね力が蓄積されることにより、この状態が保持される。一方、ロック片６７を軸７５を回動中心として回動させ、係合凹部７９との係合を解除すると、圧縮コイルばね６４のばね力によって回動が規制されていた第３のレバー６３の時計方向の回動が可能になる。したがって、第２のレバー６１が引っ張りコイルばね６２の引張り力によって固定軸７１を回動中心として時計方向に回動して、図７に示す初期状態に復帰する。
【００２４】
次に、このように構成されたカード処理装置におけるカードの取込みおよび排出の動作について説明する。
図１に示すように、カード５を手によってカード挿入兼排出口１８から矢印Ａ方向に挿入すると、図１０（ａ）に示すように、カード５はカード保持部材３５の開口５５からローラ３８と対接部４０との間に挿入される。図５において、上述したように、ローラ３８と対接部４０との間隔Ｄがカード５の厚みよりも大きく形成されていることにより、カード５はローラ３８と対接部４０との間を通過し、先端が当接部４４ａに当接する。
【００２５】
さらに、カード５を矢印Ａ方向に挿入すると、図７において、カード５の挿入に追従してカード保持部材３５も矢印Ａ方向に移動するので、図１０（ｂ）に示すように、ローラ３８がカム板１２のカム部１３に対接し、ローラ３８が板ばね３９のばね力に抗して対接部４０側に移動する。したがって、カード５がローラ３８と対接部４０とに挟持されることにより保持される。カード保持部材３５が矢印Ａ方向に移動すると、軸５３も矢印Ａ方向に移動するので、第１のレバー３０が連結軸２９を回動中心として反時計方向に回動する。したがって、第１のレバー３０の可動軸７０が矢印Ａ方向に移動するので、第２のレバー６１が固定軸７１を回動中心として反時計方向に回動する。この第２のレバー６１の反時計方向への回動と一体的にピン７３も回動するので、作動レバー６６が固定軸７７を回動中心として反時計方向に回動し、図８に示すように、先端が第２のレバー６１からｌだけ突出した状態になる。
【００２６】
したがって、第３のレバー６３が第２のレバー６１に対して可動軸７０を回動中心として反時計方向に回動するので、圧縮コイルばね６４のばね力が蓄積され始める。さらに、カード５を矢印Ａ方向に挿入し続けることにより、可動軸７０がＣ−Ｃ線を矢印Ａ方向に越えると、圧縮コイルばね６４に蓄積されたばね力によって第３のレバー６３が固定軸７１を回動中心として反時計方向に回動し、いわゆる死点越えする。したがって、第２のレバー６１も固定軸７１を回動中心として反時計方向に回動して、図９に示す状態になるので、カード保持部材３５に保持されたカード５は、カード保持部材３５の矢印Ａ方向への移動に追従して、カード５全体がカード処理部１７内に取り込まれる。この状態では、カード５の後端部がカード挿入兼排出口１８から露呈することがないから、カード処理部１７においてアンテナ基板１１によってカード５のデータが処理されている最中にカード５が、故意または誤って引き抜かれるようなことがない。
【００２７】
カード処理部１７において、カード５のデータが処理されたら、図９において、ロック片６７を軸７５を回動中心として回動させ、係合凹部７９との係合を解除する。ロック片６７と係合凹部７９との係合を解除すると、第２のレバー６１が引っ張りコイルばね６２の引張り力によって固定軸７１を回動中心として時計方向に回動して、図７に示す初期状態に復帰する。したがって、カード保持部材３５も矢印Ｂ方向に移動するので、カード５も矢印Ｂ方向に移動して、カード挿入兼排出口から突出する。このとき、図１０（ａ）に示すように、カム板１２のカム部１３に対接していたカード保持部材３５のローラ３８がカム部１３から外れ、ローラ３８と対接部４０に挟持されていたカード５が解放されるので、カード５をカード処理部１７から抜き取ることができる。
【００２８】
このように、カード５の取込みを行うのに、挿入されたカード５に連動するレバー類だけでよく、従来のように、カード挿入兼排出口１８を開閉するカバーやシャッタを必要としないから、部品点数を削減することができる。また、カバーやシャッタに連動するリンク部材を必要としないから装置の小型化を図ることができる。しかも、ある時点で第２のレバー６１が死点越えして、圧縮コイルばね６４に蓄積されたばね力によって、カード５が取り込まれるように構成したから、利用者の手に大きな負荷をかけることがなくカード５を取り込むことができるので、使い勝手が向上する。また、停電した場合にも、ロック片６７を操作してロック片６７と係合凹部７９との係合を解除することにより、引張りコイルばね６２の引張り力によってカード５の排出が可能になるので、利用者に対してサービスの向上を図ることができる。
【００２９】
さらに、カード５を保持するのに、カード５の移動に追従して移動するカード保持部材３５と、このカード保持部材３５のローラ３８を挟持部４０側に移動させるカム板１２とによって行うようにしたことにより、部品点数が削減されるだけでなく、装置が小型化かつ簡素化される。
【００３０】
なお、本実施の形態では、非接触型ＩＣカードに適用した例を説明したが、カード処理部１７にカードの電極と電気的に接触する接点を設けることにより、接触型ＩＣカードにも適用できる。
【００３１】
【発明の効果】
以上説明したように、請求項１に係る発明によれば、装置の小型化を図ることができるだけでなく、部品点数が削減され、かつカードの挿入に当たり、利用者の手に大きな負荷をかけることがないので使い勝手が向上する。
【００３２】
また、請求項２に係る発明によれば、停電した場合にも、カードの排出が可能となるので、利用者に対してサービスの向上を図ることができる。
【図面の簡単な説明】
【図１】  本発明に係るカード処理装置の正面図である。
【図２】  本発明に係るカード処理装置の一部を破断して示す側面図である。
【図３】  本発明に係るカード処理装置の一部を破断して示す底面図である。
【図４】  本発明に係るカード処理装置において、カード保持部材を分解して示す斜視図である。
【図５】  本発明に係るカード処理装置において、カード保持部材を示し、同図（ａ）は側面図、同図（ｂ）は正面図、同図（ｃ）は平面図である。
【図６】  本発明に係るカード処理装置において、カードを取り込んだ状態を示す正面図である。
【図７】  本発明に係るカード処理装置において、カードを取り込む動作を説明するための要部の正面図で、カードを取り込む前の状態を示す。
【図８】  本発明に係るカード処理装置において、カードを取り込む動作を説明するための要部の正面図で、カードを取り込み始めた状態を示す。
【図９】  本発明に係るカード処理装置において、カードを取り込んだ状態を示す。
【図１０】  本発明に係るカード処理装置において、カードを保持する動作を説明するための要部の平面図で、同図（ａ）はカードを保持する前の状態を示し、同図（ｂ）はカードを保持した状態を示す。
【符号の説明】
１…カード処理装置、５…非接触ＩＣカード、１１…アンテナ基板、１２…カム板、１３…カム部、１７…カード処理部、１８…カード挿入兼排出口、２９…連結軸、３０…第１のレバー、３５…カード保持部材、３８…ローラ、３９…板ばね、４０…対接部、６０…カード取込み・排出手段、６１…第２のレバー、６２…引張りコイルばね、６３…第３のレバー、６４…圧縮コイルばね、６５…ばね力蓄積手段、６６…作動レバー、６７…ロック片、７０…可動軸、７１，７７…固定軸、７３…ピン、７８…凹溝、７９…係合凹部。
【図１】
0004302334.tif 000002
【図２】
0004302334.tif 000003
【図３】
0004302334.tif 000004
【図４】
0004302334.tif 000005
【図５】
0004302334.tif 000006
【図６】
0004302334.tif 000007
【図７】
0004302334.tif 000008
【図８】
0004302334.tif 000009
【図９】
0004302334.tif 000010
【図１０】
0004302334.tif 000011